(57)【要約】      （修正有）【課題】就寝時の暗闇でも所望する物を間違わずに即座に取り出せる枕及び枕カバーを提供する。【解決手段】枕及び枕カバー１０は、枕２０、枕カバー２１、側面外側に付けたポケット２２ａ、ポケット２２ｂ、リング２３、留め具２４、増設用ポケット３０で構成される。ポケット２２ａ、ポケット２２ｂ、増設用ポケット３０は縫製、接着剤、面ファスナーなどで枕２０又は枕カバー２１に取り付ける。軟膏入りチューブ、コンドームなど収納物とほぼ同じ大きさをしている事によって生地や工程に無駄がなくコスト削減になる。【選択図】図１
0003225965.tif 000002
【実用新案登録請求の範囲】
【請求項１】
軟膏用チューブ、コンドームなど収納予定物とほぼ同じ大きさのポケットを１つ以上設けた収納機能付き枕及び枕カバー。
【請求項２】
請求項１のポケットが同じ大きさで複数の場合、それぞれ材質を変える事により手探りで判別可能とした収納機能付き枕及び枕カバー。
【請求項３】
請求項１〜２に容易に開閉できるリングを１つ以上設けた収納機能付き枕及び枕カバー。
【請求項４】
後から請求項１〜３の枕及び枕カバーに増設できるように所望の収納物が入る大きさに作られたポケットで、材質を変える事で手触りにより判別可能となるが、設置場所で判別できる時は同じ材質でもよい。
【考案の詳細な説明】
【技術分野】
【０００１】
本考案は、就寝時の暗闇でも必要な物を即座に取れるようにした収納機能付き枕又は枕カバーである。
【背景技術】
【０００２】
近年長寿高齢化で高齢者の一人暮らしが増えている。深夜に痛み、痒みなど発症した時、以前は家族を呼んで薬を取って貰うなどできたが一人暮らしではそれができない。また、地震、台風などで停電の中、懐中電灯など探すのも体の不自由な高齢者では危険がある。
これらを枕元に置いて痛み止め、痒み止めなど同じ形のチューブ入り軟膏が複数あると暗闇では判別が難しい。
高齢者に限らず性交渉に及ぶ際に性病予防、望まない妊娠を防ぐ為にコンドームが有効であるが暗闇の中でも即座に手に取れる収納場所が必要となる。
【０００３】
枕又は枕カバーにポケット、収納部分を設けるのは以前から提案されている。
【０００４】
たとえば、特許文献１では、枕に収納部を設け高さを変えたり活性炭など入れる構造が開示されている。
【０００５】
特許文献２では、枕カバー表面に透明のポケットを設け、好みの写真や印刷物を入れる構造が開示されている。
【先行技術文献】
【特許文献】
【０００６】
【特許文献１】特開２００１−２９９５４２公報
【特許文献２】実全昭５１−０９８１２２公報
【考案の概要】
【考案が解決しようとする課題】
【０００７】
しかしながら、特許文献１の枕は本体中に物を入れる構造となっており、小さいチューブ入り軟膏など入れると探しにくい。入れる物が複数の薬チューブで大きさ形がほぼ同じの痛み止め、痒み止めと中身が違う時、緊急時の暗闇の中、手探りの判別は不可能である。入れた物によっては頭の重みで破損する事もある。寝相によっては当初入れた位置より変わる事もある。懐中電灯など入れると枕の形や固さが変わり、使い心地が本来の物と変わってしまう。
【０００８】
特許文献２で開示された枕カバーに付けるポケットは設置場所は表面のみで材質を透明軟体と限定している。この場合普段人に見られたくない病名の記入したカード、コンドームなどは透明では入れずらい。ポケットは特定の大きさを想定しておらず、収納物に対しポケットが大きいと保持が緩くなるのとコストの無駄になる。平面の写真、印刷物を表面に入れる構造になっており、立体形状のチューブの軟膏、懐中電灯などは入れられない。
【０００９】
本考案者は、このような従来の収納機能のある枕又は枕カバーについて改善すべき点として下記１０点を鋭意検討した。
（１）暗闇でも即座に取り出せる事。
（２）複数収納の場合、暗闇でも所望する物が判別できる事。
（３）頭の重み、寝相でも収納した物が破損しない事。
（４）枕本来の使い心地が変わらない事。
（５）すでに製造、購入した枕又は枕カバーにも後付けが可能なこと。
（６）チューブ入り軟膏、懐中電灯など立体物を収納できる事。
（７）脱落、紛失の危険性を少なくする事。
（８）従来と変わった形の薬容器が出ても対応できる事。
（９）色や材質の組み合わせでデザイン性の高い物が作れる事。
（１０）低コスト化が可能で大量生産が容易な構造である事。
本考案は以上の問題点を解決するものである。
【課題を解決するための手段】
【００１０】
本考案に係る枕又は枕カバーは、具体的には、以下のとおりである。
［１］軟膏用チューブ、コンドームなど収納予定物とほぼ同じ大きさのポケットを１つ以上設けた収納機能付き枕又は枕カバー。
［２］請求項１のポケットが同じ大きさで複数の場合、それぞれ材質を変える事により手探りで判別可能とした収納機能付き枕又は枕カバー。
［３］請求項１〜２に容易に開閉できるリングを１つ以上設けた収納機能付き枕又は枕カバー。
［４］後から請求項１〜３の枕又は枕カバーに増設できるように所望の収納物が入る大きさに作られたポケットで、材質を変える事で手触りで判別可能となるが設置場所で判別できる時は同じ材質でもよい。
【考案の効果】
【００１１】
本考案にかかる枕又は枕カバーによれば、収納予定物とほぼ同じ大きさのポケットを備える事によって、（イ）暗闇でも手探りで収納物を判別でき、即座に収納してある物を取り出せ、（ロ）収納物の脱落、破損を防ぎ、（ハ）増設用ポケットにより収納物の増加、変更が安価で容易となる優れた効果が奏される。
【図面の簡単な説明】
【００１２】
【図１】本考案に係る枕又は枕カバーの一態様を示すための図である。
【考案を実施するための形態】
【００１３】
以下、本考案に係る枕又は枕カバーについて、適宜図面を参照しつつ説明する。
本発明に係る枕又は枕カバーは、図１の付番１０に示されるように枕２０、枕カバー２１、側面外側に付けたポケット２２ａ、ポケット２２ｂ、リング２３、留め具２４、増設用ポケット３０で構成される。ただしポケット２２ａ、ポケット２２ｂは形の違うポケットを例示したので用途によっては１つで構わない。
【００１４】
ポケット２２ａ、ポケット２２ｂ、増設用ポケット３０は縫製、接着剤、面ファスナーなどで枕２０又は枕カバー２１に取り付ける。軟膏入りチューブ、コンドームなど収納物とほぼ同じ大きさをしている事によって生地や工程に無駄がなくコスト削減になる。
【００１５】
ポケット２２ａはチューブ入り軟膏や懐中電灯など収納を予定している細長い立体物が入る大きさを概ねしている。これにより２個以上入るのを防ぎ、取り間違いを防ぐ。ほぼ同じ大きさをしている事で摩擦面を増やし保持力を増やす事で脱落の危険が少なくなる。枕２０又は枕カバー２１厚み部分側面に設置する事により頭の重み、寝相による破損がなくなる。また側面外側にポケットを設置する事により枕本来の使い心地が変わらない。
【００１６】
ポケット２２ｂはガーゼ、コンドームなど平面で柔らかい物を入れる。設置場所は枕２０又は枕カバー２１の上側面、下側面、枕カバー２１の内側など使いやすい場所を選べる。使用者が枕本来の使い心地が変わらなければ複数枚収納できる。
【００１７】
ポケットを複数設ける時は例えば枕２０又は枕カバー２１が綿の場合、ポケットごとに麻、絹、デニムなどそれぞれ材質を変える事により暗闇でも手触りで判別可能となる。また、色違いのポケットを設置でき、デザイン性の高い物が提供できる。ポケットの位置、大きさで収納物が判別できればコスト削減の為、同じ材質でもよい。スナップボタン、ファスナーなど留め具２４を設けてもよいがコスト削減の為なくてもよい。
【００１８】
リング２３はカラビナのように外側から容易に開閉な物。枕２０又は枕カバー２１の任意の場所に取り付ける。これに紐を付けたペットボトル、緊急用ブザーなどと繋げる事により暗闇でも緊急時に手繰り寄せられる。これにより例えば、骨折で動けない時、手を滑らせてペットボトルなど落としても紐を手繰る事で所望の物を再度手にする事ができる。
【００１９】
病院、介護施設等で使う時はリング２３に顔写真、管理番号等入った名札を付けると患者名、緊急時の対処法など間違える事がより少なくなる。
【００２０】
増設用ポケット３０は例として錠剤の小瓶を収納する形態をしている。縫製、接着剤、面ファスナーなどで枕２０又は枕カバー２１に使用者が使いやすい位置に取り付ける。
【００２１】
枕２０又は枕カバー２１の一方だけ買い替えた時、もう一方を再利用する時は好みの位置に増設用ポケット３０を付けられる。これにより買い替えてない方の使い慣れた枕２０又は枕カバー２１を使い続けられる。
【００２２】
使用者が生地に絹、デニムなど好みがある時、枕２０又は枕カバー２１をその生地で作るとコストが掛かるが、増設用ポケット３０のみ好みの生地で作れば時間、コスト共に削減して提供できる。
【００２３】
枕は一般に長手方向を横にして使用するが、使用者によっては長手方向を縦で使う事も考えられる。この場合本来設置してあるポケットが使いづらい位置、向きになる事もあるが、増設用ポケット３０を使いやすい場所、向きに設置する事で安価、容易に変更ができる。
【符号の説明】
【００２４】
１０：    本考案に係る枕又は枕カバー
２０：    枕
２１：    枕カバー
２２ａ：  チューブ入り軟膏、懐中電灯など立体物用ポケット
２２ｂ：  ガーゼ、コンドームなど柔らかい平面物用ポケット
２３：    開閉可能なリング
２４：    留め具
３０：    増設用ポケット
【図１】
0003225965.tif 000003
【手続補正書】
【提出日】令和2年2月7日(2020.2.7)
【手続補正１】
【補正対象書類名】実用新案登録請求の範囲
【補正対象項目名】全文
【補正方法】変更
【補正の内容】
【実用新案登録請求の範囲】
【請求項１】
軟膏用チューブ、コンドームなど収納予定物とほぼ同じ大きさのポケットを１つ以上設けた事を特徴とする収納機能付き枕。
【請求項２】
請求項１に記載の収納機能付き枕において、前記ポケットが同じ大きさで複数の場合、それぞれ材質を変える事により手探りで判別可能とした事を特徴とする収納機能付き枕。
【請求項３】
請求項１又は２に記載の収納機能付き枕において、容易に開閉できるリングを１つ以上設けた事を特徴とする収納機能付き枕。
【請求項４】
軟膏用チューブ、コンドームなど収納予定物とほぼ同じ大きさのポケットを１つ以上設けた事を特徴とする収納機能付枕カバー。
【請求項５】
請求項４に記載の収納機能付き枕カバーにおいて、前記ポケットが同じ大きさで複数の場合、それぞれ材質を変える事により手探りで判別可能とした事を特徴とする収納機能付き枕カバー。
【請求項６】
請求項４又は５に記載の収納機能付き枕カバーにおいて、容易に開閉できるリングを１つ以上設けた事を特徴とする収納機能付き枕カバー。
【請求項７】
請求項１〜６のいずれかに記載の枕又は枕カバーの増設用に収納予定物とほぼ同じ大きさに作られた事を特徴とするポケット。